(57)【要約】【課題】  レコードプレーヤーを用いた演奏の演出効果を高める伴奏を自動的に生成する装置を提供すること。【解決手段】  演奏音の楽音データを入力するレコードプレーヤー１と、入力された楽音データから、演奏音の特徴を示す属性値を検出する検出部４１と、検出された属性値に基づいて伴奏音の楽音データを生成する伴奏音データ生成部４２を備える。更に、伴奏音データ生成部４２が生成した楽音データの出力タイミングを予め定められたタイミングに合わせて調整するタイミング調整部４３と、タイミングが調整された楽音データを出力する伴奏音データ出力部４４とを備える。【選択図】            図１
2005338602.tif 000002
【特許請求の範囲】
【請求項１】
演奏音の楽音データを順次入力する演奏音データ入力手段と、
前記入力された楽音データから、演奏音の特徴を示す属性値を検出する検出手段と、
前記属性値が検出されると、その属性値に基づいて伴奏音の楽音データを生成する伴奏音データ生成手段と、
前記伴奏音データ生成手段が生成した楽音データの出力のタイミングを予め定められたタイミングに合わせて調整するタイミング調整手段と、
前記タイミング調整手段によってタイミングが調整された楽音データを出力する伴奏音データ出力手段と
を備えた伴奏付加装置。
【請求項２】
請求項１に記載の伴奏付加装置において、
前記予め定められたタイミングは、ある所定時間を均等に分割した分割タイミングであり、
前記タイミング調整手段は、
前記属性値に基づいて生成された伴奏音の楽音データの出力のタイミングを、その属性値が検出された直後に到来する分割タイミングに同期させる
伴奏付加装置。
【請求項３】
請求項１又は２に記載の伴奏付加装置において、
伴奏音の楽音データを生成する際の伴奏音生成条件を入力する伴奏音生成条件入力手段を備え、
前記伴奏音データ生成手段は、
前記検出された属性値と前記入力された伴奏音生成条件とに応じて伴奏音の楽音データを生成する
伴奏付加装置。
【請求項４】
請求項１乃至３のいずれかに記載の伴奏付加装置において、
前記演奏音データ入力手段から楽音データが入力されると、その楽音データの帰還データを当該演奏音データ入力手段から後に入力される楽音データに重畳する演奏音ループ処理手段と、
前記伴奏音データ出力手段から楽音データが出力されると、その楽音データの帰還データを当該伴奏音データ出力手段から後に出力される楽音データに重畳する伴奏音ループ処理手段と
を備える伴奏付加装置。
【請求項５】
請求項４に記載の伴奏付加装置において、
楽音データから帰還データを取得するためのループ条件を入力するループ条件入力手段を備え、
前記演奏音ループ処理手段及び前記伴奏音ループ処理手段は、
前記入力又は出力された楽音データに対して前記入力されたループ条件に応じた処理を施すことで帰還データを取得する
伴奏付加装置。
【請求項６】
請求項２乃至５のいずれかに記載の伴奏付加装置において、
前記検出手段は、
前記ある所定時間を均等に分割した各時間における演奏音のピッチを前記属性値として検出し、
前記伴奏音データ生成手段は、
伴奏音の音量を指示する音量指示データを前記検出したピッチに基づいて生成し、生成した音量指示データを前記伴奏音の楽音データに内包させる
伴奏付加装置。
【請求項７】
請求項２乃至５のいずれかに記載の伴奏付加装置において、
前記検出手段は、
前記ある所定時間を均等に区分した各時間における演奏音の音量を前記属性値として検出し、
前記伴奏音データ生成手段は、
伴奏音のピッチを指示するピッチ指示データを前記検出した音量に基づいて生成し、生成したピッチ指示データを前記伴奏音の楽音データに内包させる
伴奏付加装置。
【請求項８】
請求項６又は７に記載の伴奏付加装置において、
前記伴奏音データ生成手段は、
伴奏音の音色又はパターンを指示するデータを前記検出したピッチ、音量、又はその双方に基づいて生成し、生成したデータを前記伴奏音の楽音データに内包させる
伴奏付加装置。
【発明の詳細な説明】
【技術分野】
【０００１】
本発明は、伴奏付加装置に係り、特に、ターンテーブルを用いた演奏に好適な伴奏を付加する伴奏付加装置に関する。
【背景技術】
【０００２】
「アルペジエータ」と呼ばれる機能を搭載した電子楽器が従来より知られている。図８は、この種の機能を実現するための一般的な回路構成である。この電子楽器は、鍵盤１８、アルペジオ生成回路４８、音源５８、アンプ７８、スピーカ８８などから構成される。そして、鍵盤１８が押下された旨の信号がアルペジオ生成回路４８に供給されると、アルペジオ生成回路４８は、供給された信号が示す音の発音を音源に指示した後、その音程と予め対応付けられていた別の音程の音の発音を所定の間隔をおいて順次指示する。例えば、「ド」の鍵盤が押下されただけで、スピーカ８８からは、「ド、ミ、ソ、ド、ソ、ミ、ソ、ド」といったような和音を構成する各楽音が順次出力される。これにより、演奏者が複雑な演奏を行なわずとも、分散和音が適宜発音される。
【０００３】
このアルペジエータの機能をより好適化する技術を開示した文献として、例えば、特許文献１がある。この文献には、リズム演奏とアルペジオ演奏との調和の取れた自動演奏を実現する電子楽器が開示されている。同文献によると、この楽器は、互いに演奏開始のトリガーが異なっているリズム演奏とアルペジオ演奏のうち、先に演奏が開始された方の音楽的タイミングをまず検出する。音楽的タイミングとは、節や拍の開始のタイミングである。その後、もう一方の演奏の開始が指示されると、後から開始された演奏の音楽的タイミングを、先に開始されたものと同期させる。
【０００４】
以上説明したようなアルペジエータの機能を応用し、演奏中の楽器から出力された楽音と調和する伴奏を自動的に生成する技術も開発されている。この種の技術を開示した文献として、例えば、特許文献２がある。この文献には、演奏された旋律に応じた伴奏を自動的に生成する自動伴奏装置が開示されている。同文献によると、この自動伴奏装置は、楽器の演奏音に伴奏音として付加されるメロディを伴奏データとして予め準備しており、演奏者による演奏が行なわれると、その演奏音から音程と音量とを検出する。そして、演奏音から検出した音程に応じて伴奏データの音程を調整すると共に、同演奏音から検出した音量に応じて伴奏データの音量を調整して出力するようになっている。
【特許文献１】特開２０００−２５８８４７
【特許文献２】特開平０５−２７７５０
【発明の開示】
【発明が解決しようとする課題】
【０００５】
ところで、本来であればアナログレコード再生を主たる用途とする器機であるレコードプレーヤーを、楽器として用いる演奏手法が存在する。この種の演奏手法は、ディスクジョッキー（ＤＪ）と呼ばれる演奏者によって行なわれる。かかる演奏手法では、演奏者であるディスクジョッキーが、即興の歌詞や台詞を織り交ぜながら、レコードプレーヤーのターンテーブルに載置されたレコードを再生させる。そして、再生中のレコードの回転速度を自らの手指によって突然加速させたり、その回転を停止させ、又は逆転させたりすることで、多彩な音楽的表情を表現する。この種の演奏に用いるレコードプレーヤーは単にターンテーブルと呼ばれることも多い。
当然ながら、このような演奏手法においても、レコードプレーヤーによって表現される演奏音に調和の取れた伴奏を付加することで、より高い演出効果が期待できるとされている。
【０００６】
しかしながら、この種の演奏手法は、ディスクジョッキーがレコードの回転速度の緩急によって音楽的表情を表現するという特殊な事情を有しているため、演奏が単音の連なりとして成り立つことを前提として案出された上記従来技術を取り入れただけでは、演奏音と調和の取れた伴奏を生成して付加することが困難であった。
本発明は、このような背景の下に案出されたものであり、レコードプレーヤーを用いた演奏の演出効果を高める伴奏を自動的に生成する装置を提供することを目的とする。
【課題を解決するための手段】
【０００７】
本発明の好適な態様である伴奏付加装置は、演奏音の楽音データを順次入力する演奏音データ入力手段と、前記入力された楽音データから、演奏音の特徴を示す属性値を検出する検出手段と、前記属性値が検出されると、その属性値に基づいて伴奏音の楽音データを生成する伴奏音データ生成手段と、前記伴奏音データ生成手段が生成した楽音データの出力のタイミングを予め定められたタイミングに合わせて調整するタイミング調整手段と、前記タイミング調整手段によってタイミングが調整された楽音データを出力する伴奏音データ出力手段とを備える。
この態様において、前記予め定められたタイミングは、ある所定時間を均等に分割した分割タイミングであり、前記タイミング調整手段は、前記属性値に基づいて生成された伴奏音の楽音データの出力のタイミングを、その属性値が検出された直後に到来する分割タイミングに同期させてもよい。
【０００８】
また、伴奏音の楽音データを生成する際の伴奏音生成条件を入力する伴奏音生成条件入力手段を備え、前記伴奏音データ生成手段は、前記検出された属性値と前記入力された伴奏音生成条件とに応じて伴奏音の楽音データを生成するようにしてもよい。
これらの態様において、前記演奏音データ入力手段から楽音データが入力されると、その楽音データの帰還データを当該演奏音データ入力手段から後に入力される楽音データに重畳する演奏音ループ処理手段と、前記伴奏音データ出力手段から楽音データが出力されると、その楽音データの帰還データを当該伴奏音データ出力手段から後に出力される楽音データに重畳する伴奏音ループ処理手段とを備えてもよい。
【０００９】
楽音データから帰還データを取得するためのループ条件を入力するループ条件入力手段を備え、前記演奏音ループ処理手段及び前記伴奏音ループ処理手段は、前記入力された楽音データに対して前記入力されたループ条件に応じた処理を施すことで帰還データを取得するようにしてもよい。
また、前記検出手段は、前記ある所定時間を均等に分割した各時間における演奏音のピッチを前記属性値として検出し、前記伴奏音データ生成手段は、伴奏音の音量を指示する音量指示データを前記検出したピッチに基づいて生成し、生成した音量指示データを前記伴奏音の楽音データに内包させるようにしてもよい。
【００１０】
更に、前記検出手段は、前記ある所定時間を均等に区分した各時間における演奏音の音量を前記属性値として検出し、前記伴奏音データ生成手段は、伴奏音のピッチを指示するピッチ指示データを前記検出した音量に基づいて生成し、生成したピッチ指示データを前記伴奏音の楽音データに内包させるようにしてもよい。
前記伴奏音データ生成手段は、伴奏音の音色又はパターンを指示するデータを前記検出したピッチ、音量、又はその双方に基づいて生成し、生成したデータを前記伴奏音の楽音データに内包させるようにしてもよい。
【発明の効果】
【００１１】
本発明によると、レコードプレーヤーを用いた演奏の演出効果を高めるような伴奏を、演奏自体の内容に応じて自動的に生成することができる。
【発明を実施するための最良の形態】
【００１２】
（第１実施形態）
本願発明の第１実施形態について説明する。
本実施形態は、本願発明を、レコードプレーヤーを楽器として用いる形態の演奏に取り入れたものである。そして、本実施形態にかかる伴奏付加装置の第１の特徴は、レコードプレーヤー自体によって作り出される楽音（以下、これを「演奏音」と呼ぶ。）を基に、その演奏音を補強する副次的な楽音（以下、これを「伴奏音」と呼ぶ）を自動的に生成し、演奏音と共にスピーカから放音するようにした点である。そして、第２の特徴は、自動生成される伴奏音の音量が演奏音のピッチの高さに比例して大きくなるようにする一方で、伴奏音のピッチが演奏音の音量の大きさに比例して高くなるようにした点である。
なお、以降の説明において、「楽音データ」の用語は、楽音の波形を表すアナログ波形データ及びデジタル波形データを総称する意味で用いる。また、レコードプレーヤーの演奏者を「ディスクジョッキー」と呼ぶ。
【００１３】
図１は、本実施形態にかかる伴奏付加装置の構成を示すブロック図である。
この伴奏付加装置は、レコードプレーヤー１、伴奏音生成条件入力部２、アナログ／デジタル変換器（以下、「Ａ／Ｄ変換器」という）３、制御部４、音源５、加算器６、アンプ７、スピーカ８を備える。
レコードプレーヤー１は、図示しないターンテーブル、モータ、増幅器、トーンアーム、カートリッジ、フェーダ用ボリュームなどを有する。モータの作用を受けて回転しているターンテーブル上のレコードの溝に、トーンアームに搭載されたカートリッジの針が接触すると、そのカートリッジがピックアップしたアナログ波形データが、演奏音の楽音データとして増幅器から出力される。増幅器を経由する際の増幅率は、フェーダ用ボリュームによって調整できるようになっている。
【００１４】
ディスクジョッキーによるこのレコードプレーヤー１を用いた演奏は以下のようにして行なわれる。
まず、ディスクジョッキーは、レコードプレーヤー１のターンテーブルにレコードを載置した後、トーンアームのカートリッジをレコードに移動して電源を投入し、レコードの再生を開始させる。そして、所望のタイミングになると、自らの手指によってレコードをすばやく正逆方向に揺動させる。この動作は「スクラッチ」と呼ばれる。スクラッチによってレコードが揺動される際、特殊な音色の演奏音が作り出される。ディスクジョッキーは、レコードをスクラッチさせるスピードに緩急をつけることで、その演奏音のピッチの高低をコントロールすることができる。つまり、レコードをスクラッチさせるスピードを早くすればそれだけピッチの高い演奏音が作り出される一方で、スクラッチさせるスピードを遅くすればそれだけピッチの低い演奏音が作り出される。また、ディスクジョッキーは、スクラッチを行なう際にフェーダ用ボリュームを併せて操作することにより、演奏音の音量の大小をもコントロールすることができる。
【００１５】
レコードプレーヤー１の増幅器から出力された演奏音の楽音データは加算器６に直接供給される一方で、Ａ／Ｄ変換器３にてデジタル波形データに変換された後、制御部４にも供給される。
伴奏音生成条件入力部２は、演奏音から伴奏音を生成する際に参照されるべき伴奏音生成条件を入力する。伴奏音生成条件とは、演奏音のピッチとそのピッチに応じて生成される伴奏音の音量との対応関係、及び演奏音の音量とその音量に応じて生成される伴奏音のピッチとの対応関係を表すパラメータである。冒頭にも示したように、本実施形態に係る伴奏付加装置は、演奏音のピッチの高さに比例して伴奏音の音量が大きくなるような制御を行なうと共に、演奏音の音量の大きさに比例して伴奏音のピッチが高くなるような制御を行なう。この伴奏音生成条件入力部２からは、演奏音のピッチの高さを伴奏音の音量の大きさに反映させるための定数や、演奏音の音量の大きさを伴奏音のピッチの高さに反映させるための定数などを入力する。
【００１６】
制御部４は、図示しないＲＡＭ、ＲＯＭ、ＣＰＵなどから構成され、ＣＰＵがＲＡＭをワークエリアとして利用しつつＲＯＭに記憶されているプログラムを実行することにより、検出部４１、伴奏音データ生成部４２、タイミング調整部４３、伴奏音データ出力部４４の各機能モジュールを実現する。また、ＲＡＭには、伴奏音生成条件入力部２から伴奏音生成条件として入力されたパラメータを記憶する領域が確保される。
これら各機能モジュールについて説明すると、まず、検出部４１は、Ａ／Ｄ変換器３から供給されるアナログ波形データから、演奏音の特徴を示す属性値であるピッチと音量とを検出し、それらを伴奏音データ生成部４２へ供給する。伴奏音データ生成部４２は、検出部４１から供給されるピッチと音量の内容に基づいて伴奏音のピッチと音量とを決定し、決定したピッチと音量での発音を指示するＭＩＤＩ（musical instrument digital interface）データを生成する。タイミング調整部４３は、レコードプレーヤー１による演奏が始まると、ある所定時間（例えば、１小節）を均等に１６分割した時間長毎に、検出部４１による検出のタイミング及び伴奏音データ出力部４４によるデータ出力のタイミングを同期させるための同期信号を発生する。なお、この所定時間は、４小節でも１６小節でもよい。以降の説明では、このタイミング調整部４３が同期信号を発生するタイミングを、クォンタイズタイミングＱＴと呼ぶ。伴奏音データ出力部４４は、タイミング調整部４３による支援の下、ＭＩＤＩデータをクォンタイズタイミングＱＴと一致したタイミングで出力する。
【００１７】
図２は、制御部４の振る舞いを示すフローチャートである。
ステップ１０では、検出部４１が、Ａ／Ｄ変換器３から供給されるデジタル波形データが示す楽音の波形からピッチと音量とを検出し、それらを伴奏音データ生成部４２へ供給する。
ステップ１１では、伴奏音データ生成部４２が、検出部４１から供給されたピッチと伴奏音生成条件とに応じて、伴奏音の音量を決定する。更に、ステップ１２では、伴奏音データ生成部４２が、検出部４１から供給された音量と伴奏音生成条件とに応じて、伴奏音のピッチを決定する。ステップ１３では、ステップ１１で決定した音量及びステップ１２で決定したピッチでの伴奏音の発音を指示するＭＩＤＩデータを生成する。そしてこのステップにおけるＭＩＤＩデータの生成後、クォンタイズタイミングＱＴが到来した時、ステップ１４に進み、伴奏音データ出力部４４がＭＩＤＩデータを音源５へ出力する。このＭＩＤＩデータは、キーオンのＭＩＤＩメッセージを表すものであり、ステップ１１で決定した音量でのキーオンを指示するベロシティデータと、ステップ１２で決定したピッチでのキーオンを指示するノートナンバデータとを内包する。ステップ１４が終了すると、再び、ステップ１０に戻って、続く処理が繰り返される。
【００１８】
伴奏音データ出力部４４から音源５へＭＩＤＩデータが出力されると、そのＭＩＤＩデータが指定する音のアナログ波形データが伴奏音の楽音データとして音源５から出力される。
音源５から出力された伴奏音の楽音データは、加算器６にて演奏音の楽音データとミキシングされ、アンプ７にて増幅された後、スピーカ８に供給される。スピーカ８からは、演奏音の楽音データと伴奏音の楽音データとを基に合成された楽音が放音される。
以上説明した本実施形態によると、レコードプレーヤー１によって作り出される演奏音を好適に演出する伴奏音を、演奏音から抽出したピッチと音量とに基づいて自動的に生成することができる。また、自動生成される伴奏音の音量が演奏音のピッチの高さに比例して大きくなる一方で、伴奏音のピッチは演奏音の音量の大きさに比例して高くなる。従って、ディスクジョッキーがスクラッチを高速に行なえば行なうほど、作り出される伴奏音の音量も大きくなるため、レコードプレーヤーの演奏によって作り出される音楽的表情をより強調するような伴奏を極めて容易に得ることができる。また、ターンテーブルに載置して再生するレコードの種類を替えることにより、異なる演出効果を奏する伴奏を得ることができる。
【００１９】
（第２実施形態）
本願発明の第２実施形態について説明する。本実施形態の特徴は、演奏音の楽音データと伴奏音の楽音データに所定の遅延処理を施してからミキシングするようにした点にある。
図３は、本実施形態にかかる伴奏付加装置の構成を示すブロック図である。本実施形態にかかる伴奏付加装置は、図１に示した各部のほかに、ループ条件入力部９、Ｄ／Ａ変換器１０を備える。また、同伴奏付加装置の制御部４は、検出部４１、伴奏音データ生成部４２、タイミング調整部４３、伴奏音データ出力部４４のほかに、演奏音ループ処理部４５、伴奏音ループ処理部４６を実現している。
【００２０】
演奏音ループ処理部４５と伴奏音ループ処理部４６は、共に図４に示すような構成となっている。つまり、入力されたデータはディレイ部４８にて遅延時間ｄに渡って遅延されるとともに減衰部４９にて所定の減衰率ｇの減衰が施された帰還データとなり、その後に入力されてくるデータに重畳される。ループ条件入力部９からは、上述した遅延時間ｄと減衰率ｇとをループ条件として予め入力する。
かかる構成の演奏音付加装置において、レコードプレーヤー１からアナログ波形データとして入力された演奏音の楽音データは、Ａ／Ｄ変換器３にてデジタル波形データに変換された後、検出部４１に供給される。検出部４１に入力された演奏音の楽音データは、図２に示したステップ１０乃至ステップ１４の処理を経た後、伴奏音の発音を指示するＭＩＤＩデータとして伴奏音データ出力部４４から出力される。そして、ＭＩＤＩデータが伴奏音ループ処理部４６に入力されると、それ以前に同部へ入力されていたＭＩＤＩデータの帰還データが重畳され、音源５へ出力される。更に、帰還データを重畳して得た新たなＭＩＤＩデータが音源５へ入力されると、その新たなＭＩＤＩデータが指定する音のアナログ波形データが音源５から加算器６へ供給される。
【００２１】
一方、Ａ／Ｄ変換器３にてデジタル波形データに変換された演奏音の楽音データは演奏音ループ処理部４５にも供給される。演奏音ループ処理部４５に入力されたデジタル波形データには、それ以前に同部へ入力されていたデータの帰還データが重畳される。そして、帰還データを重畳することにより得られた新たなデジタル波形データは、Ｄ／Ａ変換器１０にてアナログ波形データに変換された後、加算器６へ供給される。
Ｄ／Ａ変換器１０と音源５から供給された両アナログ波形データは加算器６にてミキシングされ、アンプ７にて増幅された後、スピーカ８に供給される。スピーカ８からは、ループ処理が施された演奏音の楽音データと伴奏音の楽音データとを基に合成された楽音が放音される。
以上説明した本実施形態によると、レコードプレーヤーを用いた演奏において頻繁に用いられる「ループ音楽」を極めて容易に実現できる。
【００２２】
（第３実施形態）
本願発明の第３実施形態について説明する。本実施形態の特徴は、演奏音から抽出されたピッチに応じて伴奏音の音量を制御するだけでなく、演奏音自体の出力音量をもそのピッチに応じて制御するようにした点である。
図５は、本実施形態にかかる伴奏付加装置の構成を示すブロック図である。本実施形態にかかる伴奏付加装置の制御部４は、演算加算部４７を実現する。
【００２３】
かかる構成の演奏音付加装置において、レコードプレーヤー１からアナログ波形データとして出力された演奏音の楽音データは、Ａ／Ｄ変換器３にてデジタル波形データに変換された後、検出部４１に供給される。そして、図２に示したステップ１０乃至ステップ１４の処理を経た後、伴奏音の発音を指定するＭＩＤＩデータとして伴奏音データ出力部４４から出力される。その際、ステップ１２にて検出されたピッチは、演算加算部４７へ供給される。
一方、Ａ／Ｄ変換器３にてデジタル波形データに変換された演奏音の楽音データは演算加算部４７にも供給される。演算加算部４７では、Ａ／Ｄ変換器３から入力されたデジタル波形データに対し、検出部４１から供給されるピッチに応じた演算処理を施すことで、その音量を調整する。演算加算部４７にて音量が調整されたデジタル波形データは、Ｄ／Ａ変換器１０にてアナログ波形データに変換された後、加算器６に供給され、音源５から出力されたアナログ波形データとミキシングされる。
以上説明した本実施形態によると、演奏音から抽出されたピッチに応じて伴奏音の音量を制御するだけでなく、演奏音自体の出力音量をもそのピッチに応じて制御するようになっているため、レコードプレーヤーを用いた演奏の演出効果をより高めることができる。
【００２４】
（他の実施形態）
本願発明は、種々の変形実施が可能である。
上記各実施形態において、伴奏音の音量は演奏音のピッチの高さに応じて大きくなり、また、伴奏音のピッチは演奏音の音量の大きさに応じて高くなるように制御されていた。これに対し、伴奏音の音量が演奏音のピッチの高さと反比例して小さくなるようにしてもよいし、伴奏音のピッチが演奏音の音量の大きさと反比例して低くなるようにしてもよい。要するに、伴奏音のピッチが演奏音の音量に応じて決定されると共に、伴奏音の音量が演奏音のピッチに応じて決定されるようになっていればよい。
上記実施形態では、演奏音から検出したピッチと音量とに応じて制御されるのは、伴奏音のピッチと音量のみであったが、伴奏音の他の属性を演奏音から検出したピッチと音量とに応じて制御してもよい。例えば、伴奏音の音色や、伴奏音のパターンなどの属性を、演奏音から検出したピッチ、音量、又はその双方に基づいて決定し、決定した音色やパターンでの伴奏音の発音を指示するパラメータを伴奏音データ生成部４２が生成するＭＩＤＩデータに内包させてもよい。
上記実施形態では、音源５及び加算部６を制御部４の外部に備え、アナログ波形データとして出力される演奏音と伴奏音の両楽音データのミキシングを行うようになっていた。これに対し、図６に示すように、制御部４によって音源５と加算部６とを論理的に実現し、演奏音の楽音データと伴奏音の楽音データとを制御部４内でデジタルミキシングした後に、Ｄ／Ａ変換してアンプ７へ出力するようにしてもよい。また、図７に示すように、制御部４外にデジタル音源５ｄを設け、伴奏音データ出力部４４から出力されたＭＩＤＩデータと対応するデジタル波形データをそのデジタル音源５ｄから取得し、演奏音の楽音データとデジタルミキシングを行なってもよい。
上記実施形態において、タイミング調整部４３は、１小節を均等に１６分割した時間長毎に、同期信号を発生していたが、３２分割した時間長毎に発生しても、８分割した時間長毎に発生してもよい。
また、上記実施形態では、伴奏音データ出力部４４によるＭＩＤＩデータの出力のタイミングをクォンタイズタイミングＱＴと一致させるように制御されていたが、伴奏音データ生成部４２によるＭＩＤＩデータの生成のタイミングをクォンタイズタイミングＱＴと一致させ、伴奏音データ出力部４４は生成されたＭＩＤＩデータをリアルタイムで直ちに出力するようにしてもよい。要するに、ＭＩＤＩデータに基づいた伴奏音の放音のタイミングがタイミング調整部４３の制御の下、予め定められたタイミングと一致できればよい。
【図面の簡単な説明】
【００２５】
【図１】伴奏付加装置の構成図である（第１実施形態）。
【図２】制御部の振る舞いを示すフローチャートである。
【図３】伴奏付加装置の構成図である（第２実施形態）。
【図４】ループ処理部の構成図である。
【図５】伴奏付加装置の構成図である（第３実施形態）。
【図６】伴奏付加装置の構成図である（変形例）。
【図７】伴奏付加装置の構成図である（変形例）。
【図８】アルペジエータを搭載した電子楽器の構成図である。
【符号の説明】
【００２６】
１…レコードプレーヤー、２…伴奏音生成条件入力部、３…Ａ／Ｄ変換器、４…制御部、５…音源、６…加算器、７…アンプ、８…スピーカ、９…ループ条件入力部、１０…Ｄ／Ａ変換器、４１…検出部、４２…伴奏音データ生成部、４３…タイミング調整部、４４…伴奏音データ出力部、４５…演奏音ループ処理部、４６…伴奏音ループ処理部、４７…演算加算部
【図１】
2005338602.tif 000003
【図２】
2005338602.tif 000004
【図３】
2005338602.tif 000005
【図４】
2005338602.tif 000006
【図５】
2005338602.tif 000007
【図６】
2005338602.tif 000008
【図７】
2005338602.tif 000009
【図８】
2005338602.tif 000010